(57)【要約】【課題】エレベータの利用者に対する戸開延長状態の認識性の向上を図ることのできるエレベータ戸開延長報知装置を提供すること。【解決手段】エレベータ戸開延長報知装置１に、戸開延長ボタン２６と、戸開延長中表示部４３と、案内灯１６と、を備える。戸開延長ボタン２６は、エレベータの乗りかご１０内に配設され、乗りかご１０が乗り場３０に着床した後に開くエレベータ扉５の戸開状態を延長するものである。戸開延長中表示部４３は、乗りかご１０が着床する全ての階の乗り場３０に配設され、戸開状態が延長された戸開延長状態であることを乗り場３０にいる利用者に報知するものである。案内灯１６は、乗りかご１０に配設され、戸開延長状態であることを乗りかご１０内の利用者に報知するものである。【選択図】図３
2015048203.tif 000002
【特許請求の範囲】
【請求項１】
エレベータの乗りかご内に配設され、前記乗りかごが乗り場に着床した後に開く前記エレベータの扉の戸開状態を延長する戸開延長指示部と、
前記乗りかごが着床する全ての階の前記乗り場に配設され、前記戸開状態が延長された戸開延長状態であることを前記乗り場にいる利用者に報知する乗り場側報知部と、
前記乗りかごに配設され、前記戸開延長状態であることを前記乗りかご内の利用者に報知する乗りかご側報知部と、
を備えることを特徴とするエレベータ戸開延長報知装置。
【請求項２】
前記乗りかご側報知部は、前記戸開延長状態を、前記乗りかご内から前記乗りかごが着床している前記乗り場にいる利用者に対しても報知可能である請求項１に記載のエレベータ戸開延長報知装置。
【発明の詳細な説明】
【技術分野】
【０００１】
本発明の実施形態は、エレベータ戸開延長報知装置に関する。
【背景技術】
【０００２】
従来のエレベータの中には、荷物等の出し入れのため、戸開時間を延長する戸開延長機能を有しているものがある。この戸開延長機能付きのエレベータで戸開時間を延長する際には、乗りかご内にある戸開延長ボタンを押して戸開延長機能を作動させることにより、一定時間戸開状態を維持することができる。戸開延長機能によって戸開状態の扉は、一定時間が経過すると自動的に戸閉するようになっている。また、戸開延長機能による戸開中に戸開延長ボタンを押した場合も、戸開延長機能が解除されて扉は戸閉するようになっている。
【先行技術文献】
【特許文献】
【０００３】
【特許文献１】特開平１０−８７１９９号公報
【発明の概要】
【発明が解決しようとする課題】
【０００４】
ここで、戸開延長機能が作動中は、乗りかごが着床した階とは異なる階の乗り場で呼び操作を行っても、乗りかごは呼び操作に従ってすぐには作動しないが、一方で戸開延長機能の作動状況は、乗りかご内の利用者以外にはわかり難くなっている。つまり、戸開延長機能の作動状況は、乗りかご内の戸開延長ボタンや、乗りかご内の表示器でないと状況がわからないため、乗りかご内の利用者以外には、乗りかごが停止している理由がわかり難くなっている。
【０００５】
また、戸開延長機能は、戸開延長ボタンを押して作動させた場合は、再度戸開延長ボタンを押すことにより解除できるようになっているが、荷物等の出し入れを行った後に戸開延長機能の解除を忘れると、他の階で待っている利用者は、長時間待つことになる。このため、戸開延長機能は、運転効率の悪化の原因にもなり易くなっている。
【０００６】
本発明は、上記に鑑みてなされたものであって、エレベータの利用者に対する戸開延長状態の認識性の向上を図ることのできるエレベータ戸開延長報知装置を提供することを目的とする。
【課題を解決するための手段】
【０００７】
実施形態に係るエレベータ戸開延長報知装置は、戸開延長指示部と、乗り場側報知部と、乗りかご側報知部と、を備える。戸開延長指示部は、エレベータの乗りかご内に配設され、乗りかごが乗り場に着床した後に開くエレベータの扉の戸開状態を延長するものである。乗り場側報知部は、乗りかごが着床する全ての階の乗り場に配設され、戸開状態が延長された戸開延長状態であることを乗り場にいる利用者に報知するものである。乗りかご側報知部は、乗りかごに配設され、戸開延長状態であることを乗りかご内の利用者に報知するものである。
【図面の簡単な説明】
【０００８】
【図１】図１は、実施形態に係るエレベータ戸開延長報知装置を備えるエレベータが有する乗りかごの概略図である。
【図２】図２は、図１に示す乗りかごが着床する乗り場の概略図である。
【図３】図３は、エレベータ戸開延長報知装置の構成を示すブロック図である。
【図４】図４は、実施形態に係るエレベータ戸開延長報知装置が作動する際における動作の流れを示すフロー図である。
【発明を実施するための形態】
【０００９】
以下に、本発明に係るエレベータ戸開延長報知装置の実施形態を図面に基づいて詳細に説明する。なお、この実施形態によりこの発明が限定されるものではない。また、下記実施形態における構成要素には、当業者が置換可能、且つ、容易なもの、或いは実質的に同一のものが含まれる。
【００１０】
〔実施形態〕
図１は、実施形態に係るエレベータ戸開延長報知装置を備えるエレベータが有する乗りかごの概略図である。本実施形態に係るエレベータ戸開延長報知装置１（図３参照）を備えるエレベータが有する乗りかご１０は、エレベータの利用者が乗りかご１０内に乗降する際に開閉する扉である乗りかご扉１２を有している。また、乗りかご１０内には、乗りかご１０に乗り込んだ利用者がエレベータに対して任意の動作をさせる際に操作をするかご操作盤２０が設けられている。このかご操作盤２０は、乗りかご１０内における乗りかご扉１２の側方の壁面に配設されている。
【００１１】
かご操作盤２０には、各種情報を表示するかご内表示部２１と、乗りかご１０を非常停止させる非常ボタン２２と、乗りかご１０を移動させる目的階を選択して登録する呼びボタンである行先ボタン２３と、が設けられている。このうち、かご内表示部２１は、多数のＬＥＤ（Ｌｉｇｈｔ  Ｅｍｉｔｔｉｎｇ  Ｄｉｏｄｅ）を有するＬＥＤパネルや液晶パネル等によって構成される表示部を有しており、任意の情報を表示することが可能になっている。かご内表示部２１は、例えば、乗りかご１０が現在位置している階の表示や、地震の発生時においてエレベータの運転を停止する際に、その旨の表示等を行う。また、行先ボタン２３は、乗りかご１０が着床可能な階に対応して複数が設けられている。これにより、目的階を選択して呼び操作を行う際には、目的階に対応する行先ボタン２３に押圧操作を行って呼び操作を行うことにより、乗りかご１０の移動時における目的階を登録する。
【００１２】
また、かご操作盤２０には、乗りかご１０がいずれかの階に着床中に乗りかご扉１２の開操作を行う開ボタン２４と、同様に乗りかご１０がいずれかの階に着床中に乗りかご扉１２の閉操作を行う閉ボタン２５と、が設けられている。
【００１３】
さらに、かご操作盤２０には、乗りかご１０が乗り場３０（図２参照）に着床した後に開くエレベータの扉の戸開状態を延長する戸開延長指示部である戸開延長ボタン２６が設けられている。つまり、エレベータは、呼び登録された階に乗りかご１０が着床すると、乗りかご扉１２と、後述する乗り場扉３２（図２参照）とは共に開き、一定時間経過後に閉じるが、戸開延長ボタン２６を押すと、乗りかご扉１２と乗り場扉３２とが開いている時間が長くなる。
【００１４】
乗りかご扉１２は、このように乗り場扉３２と一体となって開閉するように設けられていることにより、乗り場扉３２と共に、乗りかご１０内と乗り場３０との間で開閉するエレベータ扉５を構成している。このため、換言すると、戸開延長ボタン２６を押すと、エレベータ扉５が開いている時間を、通常時の時間に対して延長する戸開延長機能が作動し、エレベータ扉５が開いている時間が延長される。
【００１５】
また、乗りかご１０には、乗りかご扉１２付近の天井１５に、エレベータ扉５の戸開状態が延長された戸開延長状態であることを、乗りかご１０内の利用者に報知する乗りかご側報知部である案内灯１６が配設されている。つまり、案内灯１６は、乗りかご１０の出入口付近の天井１５に設けられており、必要に応じて点灯したり消灯したりすることのできる灯具になっている。案内灯１６は、例えば５ｃｍ×１０ｃｍくらいの大きさの矩形の形状で３個程度が並んで配設されている。また、案内灯１６の点灯時の色も、任意に設定してもよい。案内灯１６は、例えば、乗りかご１０内の照明とは異なる色で点灯させたり、または、点滅させたりするのが好ましい。これらのように、案内灯１６の点灯時の色や、点灯状態を、乗りかご１０内の照明とは異ならせることにより、乗りかご１０内や乗り場３０にいる利用者に対して、注意喚起を行うことができる。
【００１６】
図２は、図１に示す乗りかごが着床する乗り場の概略図である。乗りかご１０が着床する乗り場３０は、エレベータの利用者が乗りかご１０に乗降する際に利用する、エレベータ用の乗り場３０になっている。この乗り場３０には、乗りかご１０への乗降部における左右両側と上方部分とに配設される枠である三方枠３１が設置されており、エレベータの利用者が乗りかご１０内に出入りする際に開閉する扉である乗り場扉３２は、この三方枠３１の内側の配設されている。即ち、乗りかご扉１２と共にエレベータ扉５を構成する乗り場扉３２は、三方枠３１の内側で開閉可能に配設されている。
【００１７】
また、三方枠３１の側方には、乗り場３０に乗りかご１０を呼び出す操作等のエレベータの操作を行う乗り場操作盤４０が配設されている。乗り場操作盤４０は、例えば１０ｃｍ×３０ｃｍくらいの長方形の操作盤として形成され、乗りかご１０が着床する全ての階に設置されている。
【００１８】
各階に設置される乗り場操作盤４０には、各種情報を表示する乗り場表示部４１と、利用者が現在の乗り場３０から乗りかご１０に乗って移動する方向を選択して登録する呼びボタン４４と、が設けられている。呼びボタン４４としては、利用者が上階に移動する際に呼び操作を行う上階移動用の呼びボタン４４と、下階に移動する際に呼び操作を行う下階移動用の呼びボタン４４と、が設けられている。
【００１９】
また、乗り場表示部４１は、かご内表示部２１と同様に、ＬＥＤパネルや液晶パネル等によって構成される表示部を有しており、任意の情報を表示することが可能になっている。この乗り場表示部４１には、乗りかご１０が現在位置する階を表示する位置表示部４２と、戸開延長状態であることを乗り場３０にいる利用者に報知する乗り場側報知部である戸開延長中表示部４３と、が設けられている。戸開延長中表示部４３は、例えば４ｃｍ×８ｃｍくらいの表示部からなり、戸開延長状態である場合には、戸開延長中である旨の文字情報を表示することにより、戸開延長状態であることを利用者に報知する。
【００２０】
図３は、エレベータ戸開延長報知装置の構成を示すブロック図である。かご操作盤２０と乗り場操作盤４０とは、共に制御装置５０に接続されており、行先ボタン２３や呼びボタン４４、戸開延長ボタン２６等への押圧操作の情報は、電気信号として制御装置５０に伝達可能になっている。また、かご内表示部２１や乗り場表示部４１で表示する情報等の信号は、電気信号として制御装置５０からかご操作盤２０や乗り場操作盤４０に伝達可能になっている。また、乗りかご１０内に設置される案内灯１６も制御装置５０に接続されており、案内灯１６の点灯や消灯は、制御装置５０によって制御可能になっている。
【００２１】
また、制御装置５０には、昇降路内で乗りかご１０を昇降させる際に駆動する昇降駆動装置６０が接続されている。この昇降駆動装置６０は、乗りかご１０に接続されるロープ（図示省略）を巻き上げる巻上機（図示省略）等によって構成されており、昇降駆動装置６０は、制御装置５０からの制御信号に従って駆動する。
【００２２】
また、制御装置５０には、エレベータ扉５を開閉させる扉開閉装置５５が接続されている。扉開閉装置５５は、乗りかご１０に設置されており、乗りかご扉１２を開閉させることが可能になっている。この扉開閉装置５５は、駆動源であるモータ（図示省略）を有しており、制御装置５０からの制御信号に従って駆動し、乗りかご扉１２を開閉させることができる。
【００２３】
各階の乗り場３０に設けられる乗り場扉３２には、それぞれの階に乗りかご１０が着床した場合に乗りかご扉１２と係合する係合部材（図示省略）が設けられている。これにより、各乗り場扉３２は、乗り場扉３２が設置される乗り場３０に乗りかご１０が着床した際に、乗りかご扉１２と係合することにより、乗りかご扉１２の開閉に連動して開閉することが可能になっている。
【００２４】
この実施形態に係るエレベータ戸開延長報知装置１は、以上のごとき構成からなり、以下、その作用について説明する。利用者がエレベータを利用して建物の他の階に移動する際には、乗り場３０に設置される乗り場操作盤４０に設けられる呼びボタン４４に対して押圧操作を行うことにより、移動方向の呼び登録を行う。移動方向の登録情報は、乗り場操作盤４０から制御装置５０に伝達される。制御装置５０は、呼び登録に応じて昇降駆動装置６０を制御し、乗りかご１０を移動させる。
【００２５】
制御装置５０は、呼び登録された目的階に乗りかご１０を着床させたら、扉開閉装置５５を制御して扉開閉装置５５を作動させることにより、乗りかご扉１２を開かせ、乗りかご１０が着床した乗り場３０の乗り場扉３２も、乗りかご扉１２と一体で開かせる。即ち、制御装置５０は、扉開閉装置５５を作動させることによりエレベータ扉５を開かせる。
【００２６】
乗り場３０にいる利用者は、乗りかご１０が乗り場３０に着床してエレベータ扉５が開いたら、乗りかご１０に入り、かご操作盤２０の行先ボタン２３に対して押圧操作を行う。これにより、目的階の呼び登録を行う。目的階の登録情報も、かご操作盤２０から制御装置５０に伝達され、制御装置５０は登録情報に応じて昇降駆動装置６０を制御して、乗りかご１０を目的階に移動させる。
【００２７】
乗りかご１０が目的階に着床したら、再び制御装置５０で扉開閉装置５５を制御して扉開閉装置５５を作動させることによりエレベータ扉５を開かせる。開かせたエレベータ扉５は、一定時間の経過後に扉開閉装置５５を作動させることにより閉じる。
【００２８】
エレベータ扉５は、このように乗りかご１０が目的階の乗り場３０に着床したら、まず戸開し、一定時間の経過後に戸閉するが、開ボタン２４や閉ボタン２５を操作することにより、戸開や戸閉を任意で行うことも可能になっている。例えば、乗りかご１０の着床後に戸開して一定時間が経過することにより、エレベータ扉５が戸閉し始めた際に、開ボタン２４を押すことにより、エレベータ扉５を戸開させることができる。反対に、乗りかご１０の着床後の戸開状態時に、閉ボタン２５を押すことにより、一定時間が経過する前でも、戸開状態のエレベータ扉５を戸閉させることができる。
【００２９】
さらに、エレベータ扉５の戸開状態で、戸開延長ボタン２６に対して押圧操作を行った場合には、制御装置５０は、戸開延長機能を作動させ、エレベータ扉５が開いている時間を、通常時の時間に対して延長して開かせる。この戸開延長機能は、扉開閉装置５５を制御する際における制御プログラムとして、制御装置５０内に予め組み込まれている。
【００３０】
制御装置５０は、乗りかご１０が目的階に着床したり、開ボタン２４に対して押圧操作が行われたりすることにより、エレベータ扉５を開いた場合には、一定時間経過後に戸閉を行うが、戸開延長機能の作動時は、この戸閉までの時間を延長する。つまり、制御装置５０は、戸開延長機能の作動時は、戸開延長機能が作動してない場合と比較して、戸開状態を延長し、エレベータ扉５を、より長時間開いた状態で維持する。
【００３１】
戸開延長機能が作動することによって戸開延長状態になっている場合でも、通常の戸開状態の時間よりも長い所定の時間が経過したら、制御装置５０は、扉開閉装置５５を作動させてエレベータ扉５を閉じる。また、この戸開延長状態時に戸開延長ボタン２６に対して押圧操作を行った場合には、制御装置５０は、戸開延長状態を解除してエレベータ扉５を戸閉する。具体的には、戸開延長状態時に戸開延長ボタン２６に対して押圧操作を行った際に、戸開延長が行われていない時の通常の戸開時間が経過している場合には、直ちに戸閉する。一方、戸開延長状態時に戸開延長ボタン２６に対して押圧操作を行った際に、通常の戸開時間が経過していない場合には、この通常の戸開時間の経過後に戸閉する。
【００３２】
また、制御装置５０は、戸開延長機能が作動して戸開延長状態になっている場合は、乗りかご１０内の案内灯１６を点灯させ、さらに、各乗り場３０の乗り場操作盤４０に設けられる戸開延長中表示部４３で、戸開延長中の表示を行う。つまり、戸開延長ボタン２６が押されることにより、戸開時間を延長してエレベータ扉５を開いている場合は、制御装置５０は、乗りかご１０が着床する全ての階の乗り場３０に設けられている戸開延長中表示部４３を点灯させる。これにより、全階の乗り場３０の戸開延長中表示部４３に対して、戸開延長中である旨の文字情報を表示させる。
【００３３】
換言すると、戸開延長状態になっている場合には、制御装置５０は、戸開延長状態であることを、戸開延長中表示部４３を用いて、乗り場３０にいるエレベータの利用者に報知する。これにより、現在乗りかご１０が着床している階以外の乗り場３０にいるエレベータの利用者は、戸開延長ボタン２６が押されることによって、エレベータ扉５が戸開延長状態であることを認識できる。
【００３４】
また、戸開延長ボタン２６が押されることにより、戸開時間を延長してエレベータ扉５を開いている場合は、制御装置５０は、乗りかご１０内の案内灯１６を点灯させることにより、戸開延長状態であることを、乗りかご１０内のエレベータの利用者に対して報知する。これにより、この乗りかご１０内の利用者に対して、戸開延長ボタン２６が押されて戸開延長状態であることを意識させることができる。
【００３５】
また、案内灯１６は、乗りかご１０の出入口付近の天井１５に設置されているため、案内灯１６の点灯は、乗りかご１０が着床している乗り場３０にいる利用者も視認することが可能になっている。このため、制御装置５０は、戸開延長ボタン２６が押されることにより戸開延長状態である場合は、案内灯１６を点灯することにより、乗りかご１０が着床している乗り場３０にいる利用者に対しても、戸開延長状態であることを報知する。これにより、現在乗りかご１０が着床している階の乗り場３０にいるエレベータの利用者は、エレベータ扉５の戸開時間が延長された状態になっているのは、当該乗り場３０で着床している乗りかご１０であることを、案内灯１６によっても認識できる。このため、エレベータ扉５の戸開時間が延長された状態で放置されている場合には、乗りかご１０が着床している乗り場３０にいる利用者が、乗りかご１０に乗り込んで戸開延長ボタン２６を押し、エレベータ扉５の開閉状態を通常の状態に戻すことができる。
【００３６】
戸開時間の延長中に、戸開延長機能で設定されている時間が経過することにより、または、戸開延長ボタン２６が押されることにより、戸開延長機能を終了させてエレベータ扉５を閉じる場合は、制御装置５０は、点灯している案内灯１６を消灯させる。また、この場合は、戸開延長中の表示を行っている状態の戸開延長中表示部４３も、消灯すること等により、戸開延長中である旨の表示を終了する。
【００３７】
これらため、例えば、エレベータを利用して異なる階床間で、多くの荷物等を搬送するために、エレベータの利用者がいる階に乗りかご１０を呼び、着床した乗りかご１０内で戸開延長ボタン２６の押圧操作を行うと、エレベータ扉５は戸開延長状態になる。これにより、この利用者は、荷物を乗り場３０から乗かご１０内に搬入することができる。また、このように戸開延長状態になっている場合には、戸開延長中表示部４３は、戸開延長中である旨の表示をするため、他の階の乗り場３０にいるエレベータの利用者は、戸開延長状態になっていることにより、乗りかご１０は長時間停止していることを認識できる。
【００３８】
戸開延長状態は、戸開延長機能で設定されている時間が経過することにより、または、乗りかご１０内への荷物の搬入を行った利用者が戸開延長ボタン２６の押圧操作を行うことにより解除され、エレベータ扉５は戸閉する。また、戸開延長状態が解除されたら、戸開延長中表示部４３は消灯し、戸開延長中である旨の表示を終了する。
【００３９】
乗りかご１０内の荷物を搬入した利用者は、行先ボタン２３を押圧操作することにより、目的階を登録し、乗りかご１０を移動させる。乗りかご１０が目的階に着床したら、この利用者が、戸開延長ボタン２６の押圧操作を再び行うことにより、エレベータ扉５は戸開延長状態になる。これにより、利用者は、荷物を乗かご１０内から乗り場３０に搬出することができる。また、この戸開延長状態時も、戸開延長中表示部４３で戸開延長中である旨の表示をすることにより、他の階の乗り場３０にいるエレベータの利用者は、戸開延長状態であることを認識できる。
【００４０】
乗りかご１０内からの荷物の搬出が終了し、エレベータ扉５を開いた状態で維持させる必要が無くなったら、荷物の搬送を行った利用者は、戸開延長ボタン２６を押して戸開延長状態を解除し、エレベータ扉５の開閉状態を通常の状態に戻す。戸開延長中表示部４３は、戸開延長状態が解除されることにより消灯し、戸開延長中である旨の表示を終了する。
【００４１】
また、戸開延長状態時は、乗りかご１０内の案内灯１６も点灯するため、荷物の搬送を行った利用者は、戸開延長状態であることを意識でき、搬送の終了後に、戸開延長状態を解除し忘れ難くなる。また、案内灯１６は、乗りかご１０が着床している乗り場３０から視認できるため、荷物の搬送を行った利用者が、搬送の終了後に戸開延長状態を解除し忘れた場合でも、乗り場３０にいる利用者が乗りかご１０に乗り込んで、戸開延長状態を解除することができる。
【００４２】
次に、戸開延長機能が作動する際の制御の流れについて説明する。図４は、実施形態に係るエレベータ戸開延長報知装置が作動する際における動作の流れを示すフロー図である。エレベータの利用者が、行先ボタン２３や呼びボタン４４に対して押圧操作を行うことによって目的階が呼び登録されると、登録情報に応じて昇降駆動装置６０が作動することにより、乗りかご１０は目的階に着床する（ステップＳＴ１１）。
【００４３】
乗りかご１０が目的階に着床すると、戸開き動作が行われる（ステップＳＴ１２）。つまり、乗りかご１０が目的階に着床したら、制御装置５０によって扉開閉装置５５を作動させることにより、エレベータ扉５を開く。
【００４４】
乗りかご１０が目的階で戸開したら、戸開延長ボタン２６が押されたか否かを判定する（ステップＳＴ１３）。例えば、荷物等の出し入れのため戸開時間を長くしたい利用者は、戸開延長ボタン２６を押すことによって戸開延長を行うため、制御装置５０は、この戸開延長ボタン２６が押されたか否かを判定する。
【００４５】
この判定により、戸開延長ボタン２６は押されていないと判定された場合（ステップＳＴ１３、Ｎｏ判定）には、次に、通常の戸開時間が経過したか否かを判定する（ステップＳＴ１４）。即ち、制御装置５０は、戸開き動作を行ってから、戸開延長ボタン２６が押されておらず、戸開延長状態ではない場合の、通常の戸開時間が経過したか否かを判定する。この判定により、通常の戸開時間は経過していないと判定された場合（ステップＳＴ１４、Ｎｏ判定）には、ステップＳＴ１３に戻り、戸開延長ボタン２６が押されたか否かを判定する。
【００４６】
これに対し、戸開延長ボタン２６が押されたと判定された場合（ステップＳＴ１３、Ｙｅｓ判定）には、戸開時間を延長し、さらに、全階の乗り場３０の戸開延長中表示部４３を点灯して、乗りかご１０内の案内灯１６も点灯する（ステップＳＴ１５）。これにより、エレベータ扉５の戸開時間が延長されて開いていることを、全階の乗り場３０にいる利用者に報知し、また、乗りかご１０内の利用者に対しても、強く認識させる。
【００４７】
次に、再び戸開延長ボタン２６が押されたか否かを判定する（ステップＳＴ１６）。即ち、戸開延長ボタン２６への操作状態を判定することにより、戸開延長状態時に、戸開延長の解除の指示を行ったか否かを判定する。
【００４８】
この判定により、戸開延長ボタン２６は押されていないと判定された場合（ステップＳＴ１６、Ｎｏ判定）には、次に、戸開延長時の戸開時間が経過したか否かを判定する（ステップＳＴ１７）。つまり、戸開延長ボタン２６が押されてから、戸開延長機能で設定されているエレベータ扉５の戸開時間が経過したか否かを判定する。この判定により、戸開延長時の戸開時間は経過していないと判定された場合（ステップＳＴ１７、Ｎｏ判定）には、ステップＳＴ１５に戻り、全階の乗り場３０の戸開延長中表示部４３と、乗りかご１０内の案内灯１６との点灯を継続する。
【００４９】
これに対し、戸開延長時の戸開時間は経過したと判定された場合（ステップＳＴ１７、Ｙｅｓ判定）、戸開延長機能の作動を停止して戸開延長を解除し、全階の乗り場３０の戸開延長中表示部４３と、乗りかご１０内の案内灯１６とを消灯する（ステップＳＴ１８）。また、戸開延長状態時に戸開延長ボタン２６が押されたと判定された場合（ステップＳＴ１６、Ｙｅｓ判定）も同様に、戸開延長を解除し、全階の乗り場３０の戸開延長中表示部４３と、乗りかご１０内の案内灯１６とを消灯する（ステップＳＴ１８）。
【００５０】
このように、戸開延長を解除したら、戸閉じ動作を行う（ステップＳＴ１９）。つまり、制御装置５０によって扉開閉装置５５を作動させることにより、エレベータ扉５を閉じる。また、戸開延長ボタン２６が押されることなく（ステップＳＴ１３、Ｎｏ判定）、通常の戸開時間が経過した場合（ステップＳＴ１４、Ｙｅｓ判定）も同様に、戸閉じ動作を行う（ステップＳＴ１９）。
【００５１】
以上のエレベータ戸開延長報知装置１は、乗りかご１０が着床する全階の乗り場３０に、戸開延長状態であることを報知する戸開延長中表示部４３を配設しているため、他階の利用者は、乗りかご１０が長い時間停止している理由を認識することができる。この結果、エレベータの利用者に対する戸開延長状態の認識性の向上を図ることができ、他階で待っている利用者のストレスを低減することができる。
【００５２】
また、乗りかご１０に、戸開延長状態であることを乗りかご１０内の利用者に報知する案内灯１６を配設しているため、乗りかご１０内の利用者は、戸開延長ボタン２６が押されて戸開延長中であることを強く意識することができる。この結果、エレベータの利用者に対する戸開延長状態の認識性の向上を図ることができる。
【００５３】
また、このように、戸開延長状態であることを乗りかご１０内の利用者が認識することができるため、戸開延長状態を解除してもよい状況になった場合に、乗りかご１０内の利用者が戸開延長ボタン２６を押し忘れて戸開延長を解除し忘れることを低減できる。この結果、不必要に戸開延長状態が維持され、乗りかご１０が停止し続けることを抑制することができるため、戸開延長機能を持たせつつ、運転効率が悪化することを抑制することができる。
【００５４】
また、案内灯１６は、乗りかご１０の出入口付近に設置され、戸開延長状態であることを、乗りかご１０が着床している乗り場３０の利用者に対しても報知可能であるため、戸開延長を解除し忘れた場合でも、この乗り場３０の利用者が認識することができる。これにより、戸開延長を解除し忘れた場合、これを認識した乗り場３０の利用者が、乗りかご１０に乗り込んで戸開延長ボタン２６を押して、戸開延長を解除することができる。即ち、乗りかご１０内が無人で戸開延長状態になっている場合でも、第三者が戸開延長を解除することができる。この結果、不必要に戸開延長状態が維持され、乗りかご１０が停止し続けることを、より確実に抑制することができる。
【００５５】
〔変形例〕
なお、上述したエレベータ戸開延長報知装置１では、乗り場操作盤４０に設けられる戸開延長中表示部４３は、戸開延長中である旨の文字情報を表示するのみであるが、戸開延長中表示部４３は、これ以外の情報を表示してもよい。戸開延長中表示部４３は、例えば、戸開延長機能が作動することによって開状態が維持されているエレベータ扉５が閉じるまでの時間を表示してもよい。エレベータ扉５が閉じるまでの時間を表示することにより、乗りかご１０が再び動き始める凡その時間を認識することができるので、乗り場３０で待っている利用者は、イライラ感を低減して待つことができる。
【００５６】
また、上述したエレベータ戸開延長報知装置１では、戸開延長は、予め設定されている時間が経過するか、戸開延長ボタン２６を再度押した場合に解除するが、戸開延長は、それ以外の条件で解除してもよい。例えば、戸開延長ボタン２６は、主に多くの荷物を出し入れする際に押すため、乗りかご１０の荷重の変化を荷重センサ等で検出し、検出した荷重の変化に基づいて戸開延長を解除してもよい。具体的には、戸開延長の開始時における乗りかご１０の荷重が、乗りかご１０内に重量物があると判断できる荷重である場合において、乗りかご１０内に運搬物が無くなったと判断できる荷重に乗りかご１０の荷重が変化した場合には、戸開延長を解除してもよい。
【００５７】
つまり、乗りかご１０の荷重が、乗りかご１０内に運搬物が無くなったと判断できる荷重に変化した場合には、戸開延長の開始時に乗りかご１０内にあった荷物等を乗りかご１０内から出したと判断できるため、エレベータ扉５を閉じてもよいと推測できる。このため、この場合は、戸開延長を解除してもよい。これにより、戸開延長の解除のし忘れを防止することができ、不必要に戸開延長状態が維持されて乗りかご１０が停止し続けることを、より確実に抑制することができる。
【００５８】
また、戸開延長を解除する機能を、乗り場操作盤４０に設けてもよい。この場合、乗りかご１０内の様子を、乗り場３０から確認することができる場合に、乗り場操作盤４０からの戸開延長を解除する機能を受け付けるように構成するのが好ましい。例えば、戸開延長を解除する解除部材は、乗りかご１０が着床する全ての階の乗り場操作盤４０に設け、乗りかご１０が着床している乗り場３０の解除部材からの解除信号のみ受け付けて、戸開延長を解除するようにしてもよい。これにより、戸開延長ボタン２６を押した利用者が、乗りかご１０からの荷物の搬出が終わって戸開延長を解除することを忘れた場合でも、乗りかご１０が着床している乗り場３０にいる利用者が、戸開延長を容易に解除することができる。
【００５９】
また、戸開延長を解除する解除部材を乗り場操作盤４０に設けた場合において、乗りかご１０内にカメラを設置して、乗りかご１０内の様子を乗り場３０から認識できる場合には、いずれの乗り場３０からでも戸開延長を解除することができるようにしてもよい。これにより、戸開延長によって乗りかご１０が頻繁に停止している場合でも、乗りかご１０が着床している階以外の階から乗りかご１０内の様子を確認して、戸開延長を解除することにより、乗りかご１０が所定の階で停止する時間を短くすることができる。この結果、運転効率が悪化することを抑制することができ、また、利用者のイライラ感を低減することができる。
【００６０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６１】
１  エレベータ戸開延長報知装置
５  エレベータ扉
１０  乗りかご
１２  乗りかご扉
１５  天井
１６  案内灯（乗りかご側報知部）
２０  かご操作盤
２１  かご内表示部
２２  非常ボタン
２３  行先ボタン
２４  開ボタン
２５  閉ボタン
２６  戸開延長ボタン（戸開延長指示部）
３０  乗り場
３１  三方枠
３２  乗り場扉
４０  乗り場操作盤
４１  乗り場表示部
４２  位置表示部
４３  戸開延長中表示部（乗り場側報知部）
４４  呼びボタン
５０  制御装置
５５  扉開閉装置
６０  昇降駆動装置
【図１】
2015048203.tif 000003
【図２】
2015048203.tif 000004
【図３】
2015048203.tif 000005
【図４】
2015048203.tif 000006
【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
エレベータの乗りかご内に配設され、押圧操作することにより、前記乗りかごが乗り場に着床した後に開く前記エレベータの扉の戸開状態を延長する戸開延長指示部と、
前記乗りかごが着床する全ての階の前記乗り場に配設され、前記戸開状態が延長された戸開延長状態であることを前記乗り場にいる利用者に報知する乗り場側報知部と、
前記乗りかごに配設され、前記戸開延長状態であることを前記乗りかご内の利用者に報知する乗りかご側報知部と、
を備え、
前記戸開延長指示部に対して押圧操作が行われた場合には、前記乗り場側報知部と前記乗りかご側報知部とは、前記戸開延長状態であることを前記乗り場にいる利用者と前記乗りかご内の利用者とに同時に報知することを特徴とするエレベータ戸開延長報知装置。
【請求項２】
前記乗りかご側報知部は、前記戸開延長状態を、前記乗りかご内から前記乗りかごが着床している前記乗り場にいる利用者に対しても報知可能である請求項１に記載のエレベータ戸開延長報知装置。